(57)【要約】【課題】排水エルボにおいて、排水管より排水される湯水の飛散を防止することができる給湯装置を提供することを目的とする。【解決手段】排水エルボ５は、排水管２の出口に対して所定の大気開放部６ａを確保するスペーサ６を有するものである。これにより、スペーサ６が所定の大気開放部６ａを確保するので、この所定の大気開放部６ａの作用により、排水管２より排水される湯水の飛散を防止することができる。【選択図】図１
2006112695.tif 000002
【特許請求の範囲】
【請求項１】
外装筐体と、この外装筐体に収容され湯水を貯湯する貯湯タンクと、前記貯湯タンクの底部に配設される排水管および排水バルブと、前記排水管より排水される湯水を前記外装筐体外に導く排水エルボとを備え、前記排水エルボは、排水管の出口に対して所定の大気開放部を確保するスペーサを有する給湯装置。
【請求項２】
スペーサは略円筒形状とし、その円周上の一部を切り欠いて大気開放部を確保するとともに、排水管より排水される湯水の飛散防止用壁を形成した請求項１に記載の給湯装置。
【請求項３】
スペーサは回動自在に構成し、排水バルブの配設方向に飛散防止用壁を位置させる構成とした請求項２に記載の給湯装置。
【請求項４】
排水エルボは、その底部に固定用脚を一体成形した請求項１〜３のいずれか１項に記載の給湯装置。
【請求項５】
排水エルボは、その内底部をフラットな鍋底形状とした請求項１〜４のいずれか１項に記載の給湯装置。
【発明の詳細な説明】
【技術分野】
【０００１】
本発明は、湯水を貯湯する貯湯タンクから排水される湯水を、外装筐体外に導く排水エルボを備えた給湯装置に関するものである。
【背景技術】
【０００２】
従来、この種、給湯装置の排水エルボは、フランジ等を用いて外装筐体に固定された構成になっている（例えば、特許文献１参照）。
【特許文献１】実公平７−４０９３９号公報
【発明の開示】
【発明が解決しようとする課題】
【０００３】
しかしながら、前記従来の構成では、排水エルボは排水管の出口に対して所定の大気開放部を確保できず、排水管より排水される湯水の飛散を防止することができないという課題を有していた。
【０００４】
本発明は、前記従来の課題を解決するもので、排水エルボにおいて、排水管より排水される湯水の飛散を防止することができる給湯装置を提供することを目的とする。
【課題を解決するための手段】
【０００５】
前記従来の課題を解決するために、本発明の給湯装置は、排水エルボは、排水管の出口に対して所定の大気開放部を確保するスペーサを有するものである。
【０００６】
これにより、スペーサが所定の大気開放部を確保するので、この所定の大気開放部の作用により、排水管より排水される湯水の飛散を防止することができる。
【発明の効果】
【０００７】
本発明の給湯装置は、排水エルボが排水管の出口に対して所定の大気開放部を確保することができるので、排水管より排水される湯水の飛散を防止することができる。
【発明を実施するための最良の形態】
【０００８】
第１の発明は、外装筐体と、この外装筐体に収容され湯水を貯湯する貯湯タンクと、前記貯湯タンクの底部に配設される排水管および排水バルブと、前記排水管より排水される湯水を前記外装筐体外に導く排水エルボとを備え、前記排水エルボは、排水管の出口に対して所定の大気開放部を確保するスペーサを有する給湯装置とすることにより、スペーサが所定の大気開放部を確保するので、この所定の大気開放部の作用により、排水管より排水される湯水の飛散を防止することができる。
【０００９】
第２の発明は、特に、第１の発明において、スペーサは略円筒形状とし、その円周上の一部を切り欠いて大気開放部を確保するとともに、排水管より排水される湯水の飛散防止用壁を形成したことにより、簡易構成でより確実に排水管より排水される湯水の飛散を防止することができる。
【００１０】
第３の発明は、特に、第２の発明において、スペーサは回動自在に構成し、排水バルブの配設方向に飛散防止用壁を位置させる構成としたことにより、排水配管の向きに関わらずに、容易に排水バルブを湯水の飛散から保護することができる。
【００１１】
第４の発明は、特に、第１〜第３のいずれか１つの発明において、排水エルボは、その底部に固定用脚を一体成形したことにより、排水設備下部に据え置くことが可能となり、排水管出口に対して所定の大気開放部を安定して確保することができる。
【００１２】
第５の発明は、特に、第１〜第４のいずれか１つの発明において、排水エルボは、その内底部をフラットな鍋底形状としたことにより、排水管より排水される湯水の飛散具合を低減することができる。
【００１３】
以下、本発明の実施の形態について、図面を参照しながら説明する。なお、この実施の形態によって本発明が限定されるものではない。
【００１４】
（実施の形態）
図１、図２は、本発明の実施の形態における給湯装置およびその排水エルボを示すものである。
【００１５】
図１において、湯水を貯湯する貯湯タンク１の底部に排水管２と排水管２に排水バルブ３が配設されており、湯水は排水バルブ３を開くことにより貯湯タンク１の外部へ排水される。排水管２の下部には、貯湯タンク１を収容した外装筐体４の外部に湯水を導く排水エルボ５が配設されており、排水エルボ５は排水管２の出口に対して所定の大気開放部６ａを確保するスペーサ６を備えている。すなわち、排水管２の出口は、排水エルボ５のスペーサ６中央に入り込んでいるが、大気開放部６ａにより大気と開放されている。
【００１６】
なお、貯湯タンク１には、矢印ａに示すように水道水が供給され、貯湯タンク１内の温水と水道水が混合されて、矢印ｂでは温水として適温に調整され、シヤワーや浴槽に給湯されるものである。
【００１７】
図２において、スペーサ６は略円筒形状とし、その円周上の一部を切り欠いて大気開放部６ａを確保するとともに、排水管２より排水される湯水の飛散防止用壁６ｂを大気開放部６ａと対向して形成している。この飛散防止用壁６ｂは、一例として、図に示しているが必ずしも図のような構成に限られるものではない。また、スペーサ６は排水エルボ５に対し回動自在となるように構成されており、排水配管の向きに関わらず、排水バルブ３の配設方向、すなわち、作業者の方向に飛散防止用壁６ｂを自由に位置させることができるものである。また、排水エルボ５の底部は固定用脚７を一体成形しており、排水設備下部に据え置くことができるため、安定して大気開放部６ａを確保することができる。さらに、その内底部５ａはフラットな鍋底形状となっており、排水管２より排水される湯水の飛散具合を低減するように配慮されている。
【産業上の利用可能性】
【００１８】
以上のように、本発明にかかる排水エルボは、排水エルボが排水管の出口に対して所定の大気開放部を確保することができるので、排水管より排水される湯水の飛散を防止することができるので、排水エルボを有する各種排水設備等に適用できる。
【図面の簡単な説明】
【００１９】
【図１】本発明の実施の形態における給湯装置の全体を示す構成図
【図２】（ａ）同給湯装置における排水エルボ部分の正面図（ｂ）同排水エルボ部分の一部を断面にして示した側面図
【符号の説明】
【００２０】
１  貯湯タンク
２  排水管
３  排水バルブ
４  外装筐体
５  排水エルボ
５ａ  内底部
６  スペーサ
６ａ  大気開放部
６ｂ  飛散防止用壁
７  固定用脚
【図１】
2006112695.tif 000003
【図２】
2006112695.tif 000004